(57)【特許請求の範囲】
【請求項１】
搬送ローラに−よりディスクをターンテーブル上に装填し、該ターンテーブル上からディスクを排出するディスク装置において、大径ディスクの当接により回動するレバーオープン部材と、ディスクの当接によりディスク装填方向に移動するディスクストッパと、前記ディスクストッパに係合して回動するレバーストッパと、小径ディスクの装填時は前記レバーストッパと係合して一体に回転し、大径ディスクの装填時は前記レバーオープン部材で押されて前記レバーストッパとの係合が解除されて相対移動可能となり、該ディスクで直接押されて回動するカムストッパと、このカムストッパで押されてディスクを搬送する動作からクランプする動作へ切り替えを行うスライダーラックとを備えたディスク装置。
【請求項２】
レバーオープン部材で押されたカムストッパにより、レバーストッパを初期状態近くまで回動させるように前記カムストッパにピンを設け、アームクランパとレバーストッパ間に、ディスクの装填または排出の過程でレバーストッパに作用する付勢力がディスクの装填側と排出側とに反転するスプリングを設けた請求項１記載のディスク装置。
【発明の詳細な説明】
【技術分野】
【０００１】
この発明は、大小２種類のディスクを再生ユニット（フローティングデッキ）のターンテーブル上に装填（ローディング）させ、ターンテーブル上からディスクを排出（イジェクト）させるディスク装置に関するものである。
【背景技術】
【０００２】
第１図は車載用のディスク装置を示す概略構成図である。第１図において、１はディスク装置、２は車体の内部に設置されたシャーシ（フレーム）、３はターンテーブルを回転させ、このターンテーブルに載置したディスクＤに記憶されている情報を読み取るための再生ユニット、４はディスクＤをシャーシに形成されたディスク挿入口からシャーシ２の内部に挿入し、再生ユニット３のターンテーブル上に搬送し、かつターンテーブル上のディスクＤをディスク挿入口に搬送し、シャーシ２の外部に排出するための搬送ユニットである。５はディスクＤの再生中に車体の振動が、再生ユニット３に伝達することを防止するためのオイルダンパ等の弾性部材であり、シャーシ２と再生ユニット３との間に設けられている。
再生ユニット３において、１１はターンテーブルを回転させるためのモータやピックアップを移動させるためのモータ等が収納されている再生ユニットベースである。１１aは加圧アーム（アームクランパ）の回転軸であり、再生ユニットベース１１に設けられている。１２は載置されたディスクＤを回転させるターンテーブルであり、再生ユニットベース１１に設けられている。１３は再生ユニットベース１１に設けられた回転軸１１aを中心としてa−ｂ方向に回転する加圧アームである。
１４は加圧アーム１３をターンテーブル１２側へ回転させることにより、ディスクＤをターンテーブル１２とで挟持するディスククランプであり、加圧アーム１３に取り付けられている。１５はディスクＤに記録されている情報を読み取るピックアップであり、再生ユニットベース１１に設けられている。
【０００３】
搬送ユニット４において、２１はシャーシ２の上板に固定されたディスク案内部、２２はディスク挿入口からシャーシ２の内部に挿入されたディスクＤをディスク案内部２１とで挟持し、その挟持状態で正回転することによりディスクＤを再生ユニット３に搬送し、かつ再生ユニット３のディスクＤをディスク案内部２１とで挟持し、その挟持状態で逆回転することによりディスクＤをディスク挿入口に搬送し、シャーシ２の外部に排出する搬送ローラである。
【０００４】
なお、第１図には、ディスク挿入方向およびディスク排出方向にスライド移動することにより、再生ユニット３に設けられた加圧アーム１３および搬送ユニット４に設けられた搬送ローラ２２を駆動させる機構、かつ再生ユニット３の固定およびその解除を行うカムプレート等については説明を省略するために図示していない。
【０００５】
次に動作について説明する。
ディスク装填
ディスクＤをディスク挿入口からシャーシ２の内部に挿入すると、ディスクＤはディスク案内部２１と搬送ローラ２２とで挟持される。そして、搬送ローラ２２が回転することにより、ディスクＤは再生ユニット３上に搬送される。再生ユニット３上に搬送されたディスクＤは、加圧アーム１３がターンテーブル１２側へ回動することにより、ターンテーブル１２とディスククランプ１４とで挟持され該ターンテーブル１２に載置される。このとき、図示しないカムプレートにより、搬送ローラ２２はディスクＤから離れた位置に移動し、固定されていた再生ユニットベース１１の固定が解除され、再生ユニットベース１１は弾性部材５により支持され、ディスクＤに記憶されている情報の読み取り、すなわちディスクＤの再生が可能な状態となる。
【０００６】
ディスク再生
ターンテーブル１２が回転することにより、このターンテーブル１２上に載置されて静止しているディスクＤの再生が開始する。そして、ピックアップ１５により、ディスクＤに記録されている情報が読み取られる。このとき、車体の振動は弾性部材５に吸収され、車体の振動が再生ユニット３に伝達することが防止される。
【０００７】
ディスク排出
ディスクＤの再生が終了し、ディスクＤがターンテーブル１２とディスククランプ１４とで挟持され該ターンテーブル１２上に静止している状態にあるときにディスクＤの排出を開始すると、加圧プレート１３はターンテーブル１２から離れる方向に回転し、ディスクＤから離れていた搬送ローラ２２が再びディスクＤと接する位置に移動し、ディスク案内部２１と搬送ローラ２２とでディスクＤが挟持される。そして、搬送ローラ２２が回転することにより、ディスクＤはディスク挿入口に搬送されシャーシ２の外部に排出される。このとき、再生ユニットベース１１は、図示しないカムプレートにより固定される。
以上、車載用のディスク装置を示す構成、動作の概略を説明したが、以下、その各部を詳細に説明する。
第２図は従来のディスク装置におけるディスクＤをターンテーブル（第２図では図示せず）上に装填し、かつターンテーブル上から排出させる水平動作機構を示す平面図、第３図はその右側側面図である。第２図および第３図において、３１は回動軸３２によりシャーシ２に支持されたレバーオープン部材、３３はロッカアームであり、このロッカアーム３３は長穴３３aを加圧アーム１３に立てたビン１３eに係合させるとともに両者間に設けたスプリング３４によって付勢力が付与されている。３５，３６は重ね合わせた一端側を、加圧アーム１３に設けた軸３７に回動可能に支持した一対のレバーストッパ、３８はレバーロード、３９はスライダーラック（レバートリグ）である。
【０００８】
上記加圧アーム１３には軸３７を中心に左右にそれぞれ円弧状の長穴１３a，１３ｂ、１３ｃ，１３Ｄが形成されており、長穴１３a，１３ｂにはレバーストッパ３５に設けたピン３５a，３５ｂが係合し、長穴１３ｃ，１３Ｄにはレバーストッパ３６に設けたピン３６a，３６ｂが係合している。上記レバーロード３８はビン３６aに取り付けられ、その凹部３８aにビン３６ｂが係合している。４０はレバーストッパ３５，３６が互いに近づく方向の付勢力を付与するように両者間に設けたスプリング、４１はレバーロード３８の一端を常時スライダーラック３９に当接させる方向に該レバーロードに付勢力を付与するスプリングである。１４はシャーシ２の中央に位置するように加圧アーム１３に取り付けたディスククランプである。
【０００９】
次に動作について説明する。
第４図は大径（１２ｃm）のディスク装填時の状態図、第５図は第４図より少しディスクＤの挿入が進んだ状態図、第６図はディスクＤの挿入によって水平動作から垂直動作への動作切り替え直前の状態図、第７図は垂直動作に切り替わった動作切り替え直後の状態図である。
【００１０】
まず、第２図に示すように、ディスクＤを挿入すると、図示していない搬送ローラによって、ディスクＤはシャーシ２内に搬送され、その搬送過程でディスクＤの周面でピン３１aを押して、レバーオープン部材３１を回動軸３２を中心に時計方向に回動させ、その先端の凸部３１ｂでロッカアーム３３を矢印a方向に移動させる。
【００１１】
この移動によって、係合部３３ｂによるビン３５ｂの係合を解除するため、引き続くディスクＤの挿入によって第４図、第５図に示すように該ディスクＤでピン３５ａ、３６ａ，３６ｂが押されることにより、ピン３５ａ，３５ｂが長穴１３ａ，１３ｂ、ビン３６ａ，３６ｂが長大１３ｃ，１３Ｄに沿って移動して、レバーストッパ３５，３６は軸３７を中心にして左右に回動させる。
【００１２】
そして、更にディスクＤの挿入が進み、第６図の状態を経て、第７図の位置にディスクＤが挿入されると、ディスクＤの直径部が通り過ぎることにより、レバーオープン部材３１は引き戻しスプリング４２のスプリングカによって初期位置に復帰回動する。また、挿入されたディスクＤによりビン３８ｂを介して最も大きく回動されたレバーロード３８によって、スライダーラック３９を矢印ｂ方向に押して水平動作から垂直動作への動作切替を完了する。
【００１３】
上記の動作切替によって、スライダーラック３９が押し動かされ、このスライダーラック３９のラックに駆動源側のギアが噛み合い、この駆動源によってスライダーラック３９を更に矢印ｂ方向に移動させる。この移動過程において、スライダーロックを一緒に移動させ、加圧アーム１３をディスクＤをロックする方向に移動させ、再生ユニット３のロックを解除し、搬送ローラ２２をディスクＤから引き離す動作を順次に行いディスクＤの装填動作を完了する。
【００１４】
また、ディスクＤを排出する場合、駆動源の逆回転によって、スライダーラック３９を矢印ｃに移動させ、ディスクＤのロック解除、再生ユニット３のロック解除、加圧アーム１３のクランプ解除等を行い、スライダーラック３９が初期位置に戻ることにより、垂直動作から水平動作に動作切替が行われる。
【００１５】
そして、水平動作になると、搬送ローラ２２が逆回転しているので、ディスクは第７図の状態から第６図を経て第５図の位置に移動しディスク周面がピン３１aを押してレバーオープン部材３１を時計方向に回動させ、その先端の凸部３１ｂでロッカアーム３３を矢印a方向に移動させる。この移動によって、係合部３３ｂによるピン３５ｂの係合を解除するため、レバーストッパ３５，３６はスプリング４０の付勢力によって互いに近づく方向に回勤して、ディスクＤの排出とともに第２図の初期状態に戻る。
【００１６】
第８図、第９図は小径（８ｃm）のディスクＤを装填する場合の説明図である。小径のディスクＤは、レバーオープン部材３１には全く作用しない。このため、ロッカアーム３３、レバーストッパ３５，３６は動作しない。そして、挿入されたディスクＤの周面が第８図のようにレバーロード３８のピン３８ｂに直接作用し、このピン３８ｂを介してレバーロード３８をピン３６aを中心に時計方向に回動させ、第９図のように、レバーロード３８によってスライダーラック３９を矢印ｂ方向に押して水平動作から垂直動作に動作切替を完了する。以後、前記の垂直動作を行ってディスク装填を完了し、また、この垂直動作および水平動作を上記とは反対に行ってディスク排出を完了する。
【発明の開示】
【発明が解決しようとする課題】
【００１７】
従来のディスク装置は以上のように構成されているので、大（１２ｃm）、小（８ｃm）いずれのディスクでも、同じ部材（レバーロード）で動作切替を行うため、ピン３６a（支点）、レバーロード３８のスライダーラック３９との当接点（作用点）、ピン３８ｂ（力点）の関係が同じとなり、同じタイミングでのみ動作切り替え可能となり、設計自由度がない。そのため、ディスクによって動作精度を上げることが難しいという課題があった。
【００１８】
この発明は上記のような課題を解消するためになされたもので、大小ディスクそれぞれに個々の切り替えタイミングを設定でき、水平動作から垂直動作への動作切り替えの精度を向上することを目的とする。
また、ディスクストッパを初期状態に確実に戻すことができるとともに、ディスク装填時における負荷を軽減することを目的とする。
【課題を解決するための手段】
【００１９】
この発明に係るディスク装置は、搬送ローラによりディスクをターンテーブル上に装填し、該ターンテーブル上からディスクを排出するディスク装置において、大径ディスクの当接により回動するレバーオープン部材と、ディスクの当接によりディスク装填方向に移動するディスクストッパと、前記ディスクストッパに係合して回動するレバーストッパと、小径ディスクの装填時は前記レバーストッパと係合して一体に回転し、大径ディスクの装填時は前記レバーオープン部材で押されて前記レバーストッパとの係合が解除されて相対移動可能となり該ディスクで直接押されて回動するカムストッパと、このカムストッパで押されてディスクを搬送する動作からクランプする動作へ切り替えを行うスライダーラックとを備えたものである。
【００２０】
この発明に係るディスク装置は、ディスクの排出時、レバーオープン部材により押されたカムストッパがレバーストッパを初期状態近くまで回動させるように該ストッパにビンを設け、さらに、アームクランパとレバーストッパ間に、ディスクの装填または排出の過程でレバーストッパに作用する付勢力がディスクの装填側と排出側とに反転するスプリングを設けたものである。
【発明の効果】
【００２１】
この発明によれば、大径ディスクの装填時は、このディスクで回動されたレバーオープン部材でレバーストッパとカムストッパとの係合を解除し、ディスクで直接カムストッパを回動させて動作切替を行い、小径ディスクの装填時は、ディスクの装填に伴ってディスクストッパの移動により、レバーストッパが一体回転可能に係合したカムストッパを回動させて動作切替を行うため、大小２種のディスクそれぞれに個々の切り替えタイミングを設定でき動作切り替えの精度を向上することができる効果がある。
【００２２】
この発明によれば、ディスクストッパを初期状態に確実に戻すことができるとともに、ディスク装填時の負荷を軽減することができる効果がある。
【発明を実施するための最良の形態】
【００２３】
以下、この発明をより詳細に説明するために、この発明を実施するための最良の形態について、添付の図面に従って説明する。
実施の形態１．
第１０図は、この発明の実施の形態１によるディスク装置におけるディスクをターンテーブル上に装填し、かつターンテーブル上から排出させる水平動作機構を示す平面図、第１１図は、第１０図の右側側面図、第１２図は、第１１図の各構成部品を分解して示す右側側面図、第１３図は、その各構成部材を個別に示す平面図および側面図である。第１０図から第１３図において、５１はレバーオープン部材、５２はクランプ、５３はクランプ５２を取り付けたクランプキャップ、５４はスライダストッパ、５５はアームクランパ、５６はレバーストッパ、５７はカムストッパ、５８はスライダーラック、５９はフックストッパである。
【００２４】
上記レバーオープン部材５１は中間部を軸６４によってシャーシ２に回動可能に支持されており、一端部にはディスク周面が当接するピン５１aを、他端部には凸部５１ｂが設けられている。スライダストッパ５４は左右両端角部にディスクＤが当接するピン５４a，５４aを有し、中央に設けた係合部５４ｃによりアームクランパ５５にディスク装填方向に設けた長穴５５aに移動可能に係合されている。レバーストッパ５６とカムストッパ５７はフックストッパ５９により相対的に回転可能に支持され、レバーストッパ５６は一端側に設けた長穴５６aによって上記スライダストッパ５４の係合部５４ｃに係合支持されている。
【００２５】
そして、カムストッパ５７は上記フックストッパ５９を通す長穴５７aの他に、一面にアームクランパ５５の係合穴５５ｂに係合するピン５７ｂとレバーストッパ５６の係合穴５６ｂに係合するピン５７ｃを有し、他面にディスクＤの当接するピン５７Ｄを有する。６０はアームクランパ５５とレバーストッパ５６間に設けたスプリングであり、レバーストッパ５６が回動してスプリング６０の取り付け点５５ｃが該取り付け点とフックストッパ５９を結ぶ線上６１を越えることにより、レバーストッパ５６に対する付勢力の方向が反転する。６２はカムストッパ５７に時計 方向の回転力を付与するように該カムストッパとアームクランパ５５との間に設けたスプリング、６３はレバーオープン部材５１の戻しスプリングである。 
【００２６】
次に動作について説明する。
第１４図は大径（１２ｃm）のディスク挿入時の状態図、第１５図はディスクＤの挿入によって水平動作から垂直動作に切り替った直後の状態図である。
まず、第１４図に示すように、ディスクＤを挿入すると、そのディスクＤの周面でピン５１aを押して、レバーオープン部材５１を反時計方向に回動させ、その先端の凸部５１ｂでカムストッパ５７を矢印ｃ方向に移動させる。この移動によって、カムストッパ５７のピン５７ｃとレバーストッパ５６の係合穴５６ｂとの係合が解除される。この結果、ディスクＤで押されてディスクストッパ５４が該ディスクＤの装填方向に移動して、レバーストッパ５６が回勤しても、その回動力はカムストッパ５７には伝達されない。このため、ディスクＤが所定位置まで装填されて、該ディスクＤが直接ビン５７Ｄを押してカムストッパ５７を回動させることにより、この回動されたカムストッパ５７によってスライダーラック５８を矢印ｂ方向に押し動かして、第１５図に示す動作切替が完了状態となる。
【００２７】
上記の動作切替によって、スライダーラック５８が押し動かされ、このスライダーラック５８のラックに駆動源側のギアが噛み合い、この駆動源によってスライダーラック５８を更に矢印ｂ方向に移動させる。この移動過程において、スライダーロック（図示せず）を一緒に移動させ、アームクランパ５５をディスクＤを挟持する方向に回動させ、再生ユニットのロックを解除し、搬送ローラをディスクから引き離す動作を順次に行いディスクＤの装填動作を完了する。
【００２８】
また、ディスクＤを排出する場合、駆動源の逆回転によって、スライダーラック５８を矢印ｄに移動させ、再生ユニットをロックし、アームクランパ５５のクランプ解除等を行い、スライダーラック５８が初期位置に戻ることにより、垂直動作から水平動作に動作切替が行われる。
【００２９】
この垂直動作機構は、従来から用いられている種々の機構が使用できるもので、その具体的構成および説明は省略する。
そして、垂直動作から水平動作に切り替わると、装填時とは逆回転している搬送ローラによって第１６図に示すように、ディスクＤを排出方向に移動させると、ディスク周面がビン５１aを押してレバーオープン部材５１を反時計方向に回動させ、その先端の凸部５１ｂでカムストッパ５７を矢印ｃ方向に移動させる。この移動によって、カムストッパ５７のピン５７ｃがレバーストッパ５６の端面を押し、レバーストッパ５６が反時計方向に回動させられ、レバーストッパ５６のスプリング取り付け点５６eがアTムクランパ側取り付け点５５ｃとフックストッパ５９を結ぶ線上６１を越えると、スプリング６０の付勢力は、挿入方向から排出方向へ移動し、レバーストッパ５６が初期位置まで回勤する。さらに、レバーストッパ５６に係合しているスライダストッパ５４が追従して初期位置へと移動するものである。
【００３０】
第１７図は小径（８ｃm）のディスクＤを装填して動作の切替を行った状態図である。この小径ディスクＤは、装填および排出時のディスクＤとスライダストッパ５４の当接時にはレバーオープン部材５１には全く作用しないため、カムストッパ５７のビン５７ｃとレバーストッパ５６の係合穴５６ｂとの係合状態は保持されている。この状態で、ディスクＤの装填に伴い、スライダストッパ５４が装填方向に移動すると、レバーストッパ５６が時計方向に回勤し、この回勤によりレバーストッパ５６に係合して一体回転するカムストッパ５７でスライダーラック５８を所定位置に押して動作切替を完了する。
【００３１】
また、その際、８ｃｍディスクをターンテーブルセンター上に正しく位置するために、カムストッパ５７のピン５７ｃがアームクランパ５５の溝５５ｄの端面に当接し、カムストッパ５７の回動が止まり、カムストッパ５７のピン５７ｂがレバーストッパ端面５６fと当接することによって、レバーストッパ５６が反時計方向に回動するのを止める（スプリング６０にてレバーストッパは反時計方向に回動する）。
【００３２】
上記により、カムストッパ５７とレバーストッパ５６が一体回転するための余分な隙間をなくす。これにより、スライダーストッパ５４を所定の位置に定めることが可能となる。
一方、装填されたディスクＤを取り出す場合は、ディスクＤの排出方向への移動により、スライダストッパ５４がスプリング６０の付勢力でディスクの排出方向に移動するのに追従して、レバーストッパ５６が回動して第１０図の初期位置に戻るものである。
【００３３】
以上のように、この実施の形態１によれば、大径ディスクの装填時は、このディスクＤで回動されたレバーオープン部材５１でレバーストッパ５６とカムストッパ５７との一体回転の係合を解除し、ディスクで直接カムストッパ５７を回動させて動作切替を行い、小径ディスクＤの装填時は、ディスクＤの装填に伴うアームクランパ５５の移動により、レバーストッパ５６が一体回転可能に係合したカムストッパ５７を回動させて動作切り替えを行うことにより、大小２種のディスクＤをそれぞれ異なる部材によって動作切り替えを行うことができる。この結果、大小２種のディスクの切り替えタイミングをそれぞれ異なる部材によって自由に設定することができ、その動作切り替えの精度を向上することができる効果がある。
【００３４】
また、この実施の形態１によれば、ディスク排出前にレバーストッパ５６を初期状態近くまで回動するために、カムストッパ５７にビン５７ｂ，５７ｃを設け、さらにアームクランパ５５とカムストッパ５７間に、ディスクＤの装填過程でカムストッパ５７に作用する付勢力がディスク装填側とディスク排出側とに反転するスプリング６０を設けたことにより、スライダーストッパ５４を初期状態に確実に戻すことができるとともに、ディスク装填時の負荷を軽減することができる効果がある。
【図面の簡単な説明】
【００３５】
【図１】車載用のディスク装置を示す概略構成図である。
【図２】従来のディスク装置におけるディスクをターンテーブル上に装填し、かつターンテーブル上から排出させる水平動作機構を示す平面図である。
【図３】第２図の右側側面図である。
【図４】大径のディスク装填時の状態図である。
【図５】第４図より少しディスクの装填が進んだ状態図である。
【図６】ディスクの挿入によって水平動作から垂直動作への動作切り替え直前の状態図である。
【図７】垂直動作に切り替わった動作切り替え直後の状態図である。
【図８】小径のディスクの装填時の状態図である。
【図９】小径のディスクによる動作切り替え直後の状態図である。
【図１０】この発明の実施の形態１によるディスク装置におけるディスクをターンテーブル上に装填し、かつターンテーブル上から排出させる水平動作機構を示す平面図である。
【図１１】第１０図の右側側面図である。
【図１２】第１１図の各構成部品を分解して示す右側側面図である。
【図１３】各構成部品を個別に示す平面図および側面図である。
【図１４】大径ディスクの装填時の状態図である。
【図１５】大径ディスクの装填によって垂直動作に切り替わった動作切り替え直後の状態図である。
【図１７】小径ディスクの装填による動作切り替え時の状態図である。
【符号の説明】
【００３６】
１２  ターンテーブル、２２  搬送ローラ、５１  レバーオープン部材、５４  ディスクストッパ、５５  アームクランプ、５６  レバーストッパ、５７  カムストッパ、６０  スプリング、Ｄ  ディスク。
【図１】
0003792513.tif 000002
【図２】
0003792513.tif 000003
【図３】
0003792513.tif 000004
【図４】
0003792513.tif 000005
【図５】
0003792513.tif 000006
【図６】
0003792513.tif 000007
【図７】
0003792513.tif 000008
【図８】
0003792513.tif 000009
【図９】
0003792513.tif 000010
【図１０】
0003792513.tif 000011
【図１１】
0003792513.tif 000012
【図１２】
0003792513.tif 000013
【図１３】
0003792513.tif 000014
【図１４】
0003792513.tif 000015
【図１５】
0003792513.tif 000016
【図１６】
0003792513.tif 000017
【図１７】
0003792513.tif 000018